(57)【要約】【課題】  利用者が治療目的で使用した薬品の効果を、装置が自動的に記録出来ない。【解決手段】  装置は、位置と体調評価指数を対応付けて予め記憶する位置属性記憶手段と、薬品ＩＤと効果点数を対応付けて記憶する薬歴記憶手段と、  利用者が使用した薬の薬品ＩＤを検知する薬検知手段と、薬検知手段による薬品ＩＤ検知後の一定時間内の、利用者の位置を取得する行動履歴記録手段と、行動履歴記録手段が取得した利用者の位置に対応する体調評価指数を位置属性記憶手段から取得して、取得した体調評価指数に基づいて効果点数を算出し、薬検知手段が検知した薬品ＩＤと対応付けて薬歴記憶手段に格納する薬効評価手段、を包含する。【選択図】      図１
2011243140.tif 000002
【特許請求の範囲】
【請求項１】
位置と体調評価指数を対応付けて予め記憶する位置属性記憶手段と、
薬品ＩＤと効果点数を対応付けて記憶する薬歴記憶手段と、
利用者が使用した薬の薬品ＩＤを検知する薬検知手段と、
前記薬検知手段による薬品ＩＤ検知後の一定時間内の、前記利用者の位置を取得する行動履歴記録手段と、
前記行動履歴記録手段が取得した前記利用者の位置に対応する体調評価指数を前記位置属性記憶手段から取得して、取得した体調評価指数に基づいて効果点数を算出し、前記薬検知手段が検知した薬品ＩＤと対応付けて前記薬歴記憶手段に格納する薬効評価手段、を包含する医療情報処理装置。
【請求項２】
前記行動履歴記録手段は、前記薬検知手段による薬品ＩＤ検知後、さらにオフセット時間経過後の前記一定時間内の前記利用者の位置を取得する、請求項１の医療情報処理装置。
【請求項３】
前記行動履歴記録手段は、薬品ＩＤ、オフセット時間及び時間長を対応付けて記憶する薬品属性記憶手段から、前記薬検知手段が検知した薬品ＩＤに対応するオフセット時間及び時間長を取得して、前記薬検知手段による薬品ＩＤ検知後、取得したオフセット時間経過後の、取得した時間長の前記一定時間内の前記利用者の位置を取得する、請求項１の医療情報処理装置。
【請求項４】
前記行動履歴記録手段は、前記一定時間内に所定周期で、前記利用者の複数の位置を取得し、
前記薬効評価手段は、前記複数の位置のおのおのに対応する体調評価指数を前記位置属性記憶手段から取得、及び、合計して、合計値を効果点数とする請求項１乃至３の何れかの医療情報処理装置。
【請求項５】
請求項３の医療情報処理装置と、
前記医療情報処理装置とネットワークで接続され、前記薬品属性記憶手段を備え、前記医療情報処理装置から薬品ＩＤを受信して、当該薬品ＩＤに対応付けられたオフセット時間及び時間長を返信する薬品属性提供サーバを包含する、医療情報処理システム。
【請求項６】
位置と体調評価指数を対応付けて予め記憶する位置属性記憶手段と薬歴記憶手段を備えるコンピュータに、
利用者が使用した薬の薬品ＩＤを検知する薬検知処理と、
前記薬検知処理による薬品ＩＤ検知後の一定時間内の、前記利用者の位置を取得する行動履歴記録処理と、
前記行動履歴記録処理で取得した前記利用者の位置に対応する体調評価指数を前記位置属性記憶手段から取得して、取得した体調評価指数に基づいて効果点数を算出し、前記薬検知処理で検知した薬品ＩＤと対応付けて前記薬歴記憶手段に格納する薬効評価処理、を実行させる医療情報処理プログラム。
【請求項７】
前記コンピュータに、前記薬検知処理による薬品ＩＤ検知後、さらにオフセット時間経過後の前記一定時間内の前記利用者の位置を取得する前記行動履歴記録処理を実行させる、請求項６の医療情報処理プログラム。
【請求項８】
前記コンピュータに、薬品ＩＤ、オフセット時間及び時間長を対応付けて記憶する薬品属性記憶手段から、前記薬検知処理で検知した薬品ＩＤに対応するオフセット時間及び時間長を取得して、前記薬検知処理による薬品ＩＤ検知後、取得したオフセット時間経過後の、取得した時間長の前記一定時間内の前記利用者の位置を取得する前記行動履歴記録処理を実行させる、請求項６の医療情報処理プログラム。
【請求項９】
位置と体調評価指数を対応付けて位置属性記憶手段に記憶し、
利用者が使用した薬の薬品ＩＤを検知し、
薬品ＩＤ検知後の一定時間内の、前記利用者の位置を取得し、
取得した前記利用者の位置に対応する体調評価指数を前記位置属性記憶手段から取得して、取得した体調評価指数に基づいて効果点数を算出し、検知した薬品ＩＤと対応付けて薬歴記憶手段に格納する医療情報処理方法。
【請求項１０】
薬品ＩＤ検知後、さらにオフセット時間経過後の前記一定時間内の前記利用者の位置を取得する、請求項９の医療情報処理方法。
【発明の詳細な説明】
【技術分野】
【０００１】
本発明は、医療情報処理装置、医療情報処理システム、医療情報処理方法、及び、医療情報処理プログラムに関する。
【背景技術】
【０００２】
特許文献１は、センサやタグを利用せずにユーザのコンディションを推定するコンディション推定装置を開示する。当該装置は、ユーザの行動履歴ログに基づいてコンディション指数を算出する。コンディション指数は、ユーザのコンディションを推定するための指標であり、「睡眠指数」、「労働指数」、「元気指数」等である。「睡眠指数」はユーザの推定睡眠時間から、「労働指数」はユーザの推定労働時間から、それぞれ算出される。「元気指数」は「睡眠指数」と「労働指数」を加算して得られる。
【０００３】
特許文献２は、ユーザが食事を開始又は終了したことが検知されたときに、当該検知後の所定の時間の後に当該ユーザに食事内容を問い合わせて、その回答を取得し、分析するシステムを開示する。
【０００４】
特許文献３は、患者に投薬する薬を患者毎の投薬データとして記憶し、薬の名称、用量・用法及び効能・効果を含む薬データを記憶する投薬データ管理装置を開示する。当該装置は、対象となる患者の投薬データに対応した薬データを選択して印刷する。
【０００５】
特許文献４は、服用すべき個別薬物ごとの独立した薬物容器を設け、センサにより当該容器が開けられたことを検知すると、ホストに検知報告を送信する薬物治療管理装置を開示する。
【０００６】
非特許文献１および非特許文献２は、患者の薬歴や病歴、アレルギー歴をＩＣカードに記録する電子お薬手帳を開示する。市販薬品のパッケージにはＩＣタグが取り付けられている。サーバは、リーダ装置がＩＣタグから読み取った薬品ＩＤを基に、薬品情報を検索・出力する。電子お薬手帳は、サーバから得られた薬品情報と患者が保持するＩＣカードに記録された情報を突き合わせることで、不適切な飲み合わせを検出する。
【先行技術文献】
【特許文献】
【０００７】
【特許文献１】特開２００９−１８１４７８号公報
【特許文献２】特開２００３−１７３３７５号公報
【特許文献３】特開平１１−０５６９７２号公報
【特許文献４】特表２００７−５２４１７５号公報
【非特許文献】
【０００８】
【非特許文献１】http://www.t-engine.org/news/pdf/TEP051213_u13.pdf
【非特許文献２】http://www.t-engine.org/japanese.html (p.31)
【発明の概要】
【発明が解決しようとする課題】
【０００９】
利用者が治療目的で使用した薬品の効果を、装置が自動的に記録出来ない。上述の文献に記載された技術はいずれも、使用した薬品の効果を記録するものではない。本発明の目的は、上述の課題を解決する時述を提供することである。
【課題を解決するための手段】
【００１０】
本発明の一実施形態の医療情報処理装置は、位置と体調評価指数を対応付けて予め記憶する位置属性記憶手段と、薬品ＩＤと効果点数を対応付けて記憶する薬歴記憶手段と、
利用者が使用した薬の薬品ＩＤを検知する薬検知手段と、前記薬検知手段による薬品ＩＤ検知後の一定時間内の、前記利用者の位置を取得する行動履歴記録手段と、前記行動履歴記録手段が取得した前記利用者の位置に対応する体調評価指数を前記位置属性記憶手段から取得して、取得した体調評価指数に基づいて効果点数を算出し、前記薬検知手段が検知した薬品ＩＤと対応付けて前記薬歴記憶手段に格納する薬効評価手段、を包含する。
【００１１】
本発明の一実施形態の医療情報処理プログラムは、位置と体調評価指数を対応付けて予め記憶する位置属性記憶手段と薬歴記憶手段を備えるコンピュータに、利用者が使用した薬の薬品ＩＤを検知する薬検知処理と、前記薬検知処理による薬品ＩＤ検知後の一定時間内の、前記利用者の位置を取得する行動履歴記録処理と、前記行動履歴記録処理で取得した前記利用者の位置に対応する体調評価指数を前記位置属性記憶手段から取得して、取得した体調評価指数に基づいて効果点数を算出し、前記薬検知処理で検知した薬品ＩＤと対応付けて前記薬歴記憶手段に格納する薬効評価処理、を実行させる。
【００１２】
本発明の一実施形態の医療情報処理方法は、位置と体調評価指数を対応付けて位置属性記憶手段に記憶し、利用者が使用した薬の薬品ＩＤを検知し、薬品ＩＤ検知後の一定時間内の、前記利用者の位置を取得し、取得した前記利用者の位置に対応する体調評価指数を前記位置属性記憶手段から取得して、取得した体調評価指数に基づいて効果点数を算出し、検知した薬品ＩＤと対応付けて薬歴記憶手段に格納する。
【発明の効果】
【００１３】
本発明に係る医療情報処理装置は、利用者が治療目的で使用した薬品の効果を記録する。
【図面の簡単な説明】
【００１４】
【図１】第１の実施形態の医療情報処理装置１０の構成を示す図である。
【図２】薬歴記憶部１２が記憶するデータを示す図である。
【図３】行動履歴記録部１３が取得するデータを示す図である。
【図４】位置属性記憶部１５が記憶するデータを示す図である。
【図５】医療情報処理装置１０の動作を示す流れ図である。
【図６】行動履歴記録部１３の動作を示す流れ図である。
【図７】薬効評価部１４の動作を示す流れ図（１／２）である。
【図８】薬効評価部１４の動作を示す流れ図（２／２）である。
【図９】第２の実施形態の医療情報処理装置１０の構成を示す図である。
【図１０】薬品属性記憶部１６が記憶するデータを示す図である。
【図１１】医療情報処理システム７０の構成を示す図である。
【図１２】第４の実施形態の医療情報処理装置１０の構成を示す図である。
【発明を実施するための形態】
【００１５】
図１は、本発明の第１の実施形態の医療情報処理装置１０の構成を示す図である。医療情報処理装置１０は、薬検知部１１と、薬歴記憶部１２と、行動履歴記録部１３と、薬効評価部１４と、位置属性記憶部１５と、表示部１７を包含する。
【００１６】
薬検知部１１、行動履歴記録部１３、及び、薬効評価部１４は、論理回路、半導体メモリ等から構成されるハードウェア装置である。薬検知部１１、行動履歴記録部１３、及び、薬効評価部１４の一部又は全部は、医療情報処理装置１０の図示されないプロセッサが、図示されない記憶装置に格納されている医療情報処理プログラム１９を読み込んで実行することで実現されても良い。
【００１７】
薬歴記憶部１２、及び、位置属性記憶部１５は、半導体メモリ、ディスク等の記憶装置である。表示部１７は液晶ディスプレイ等である。
【００１８】
薬検知部１１は、利用者の薬の使用を検知し、使用された薬品の識別子（薬品ＩＤ）を取得する。薬検知部１１は、取得した薬品ＩＤと日時を薬歴記憶部１２に格納する。薬は、飲み薬、貼り薬、目薬等、その種類を問わない。
【００１９】
薬検知部１１は、例えば、特許文献４に記載された薬物治療管理装置から個別薬物ごとの独立した薬物容器が開けられたことの検知信号を受診する通信装置を包含する。薬検知部１１は、開けられた薬物容器から薬品ＩＤを特定する。
【００２０】
薬検知部１１は、薬品パッケージのバーコードから薬品ＩＤを読み取るバーコードリーダ、あるいはパッケージに付されたＩＣタグから薬品ＩＤを読み取るタグリーダの制御部を包含しても良い。この場合、利用者は、薬の使用時、当該リーダで薬品ＩＤを読み取る。
【００２１】
薬検知部１１は、携帯端末等のキーパッド等の入力制御部を包含しても良い。この場合、利用者は、薬の使用時、キーを操作して薬品ＩＤを入力する。
【００２２】
図２は、薬歴記憶部１２が記憶するデータ例を表形式で示す。薬歴記憶部１２は、使用インデックス２０と、使用薬品ＩＤ２１と、使用日時２２と、効果点数２３を対応付けて記憶する。薬歴記憶部１２は、初期状態では、有効なデータを記憶していない。
【００２３】
薬検知部１１は、上述のように取得した薬品ＩＤを使用薬品ＩＤ２１に、その取得日時を使用日時２２に、薬品ＩＤの取得通番を使用インデックス２０に格納する。後述する薬効評価部１４は、使用薬品ＩＤ２１、使用日時２２で特定される薬品の使用の効果度合いを示す値を求めて効果点数２３に格納する。
【００２４】
行動履歴記録部１３は、薬検知部１１による薬の使用検知後（薬品ＩＤの取得後）、オフセット時間経過後の一定時間内の利用者の行動履歴を取得する。図３は、行動履歴記録部１３が取得するデータ例を表形式で示す。行動履歴記録部１３は、一定期間内、例えば定期的に利用者の緯度・経度等の位置（測定位置３３）とそのときの日時（測定日時３２）を取得し、取得通番（測位インデックス３１）を付して出力する。
【００２５】
薬検知部１１が薬品ＩＤを取得するごとに、一連の行動履歴が時系列順に取得される。使用インデックス２０と履歴インデックス３０が、薬品ＩＤの取得と行動履歴の対応付けを示す。例えば、図３の履歴インデックス３０の値が”１”である、一連の測定位置３３の時系列データは、図２の使用インデックス２０が”１”である行が示す薬品ＩＤの取得に対応して取得された行動履歴である。
【００２６】
なお、行動履歴記録部１３は、一定時間内の利用者の行動履歴を図３に示すような表形式で一括して出力しても良いし、測定インデックス３１の行単位に順次出力しても良い。
【００２７】
履歴を取得する一定時間のオフセット時間、時間長、履歴取得の周期は、医療情報処理装置１０の管理者等が設定し、行動履歴記録部１３に与えられる。薬品ＩＤ取得後、オフセット時間が経過すると一定時間が開始し、指定した時間長継続する。医療情報処理装置１０の管理者等は、例えば、薬を使用してから効果が出てくるまでの時間等を考慮してオフセット時間を設定し、薬の効果が持続する時間等を考慮して時間長を設定する。
【００２８】
時間長は、直接指定されても良いし、履歴取得の周期と回数（一以上）の組み合わせで指定しても良い。
【００２９】
なお、オフセット時間の指定はなくても良い。この場合、行動履歴記録部１３は、薬品ＩＤ取得後すぐに行動履歴の取得を開始する。
【００３０】
図３は、行動履歴を１５分周期で９６回取得する例、即ち、履歴を取得する一定時間の時間長を２４時間（１５分ｘ９６）とする例を示している。また、図２と図３は、履歴インデックス３０が”１”の履歴はオフセット時間が２時間、履歴インデックス３０が”２”の履歴はオフセット時間が０時間であることを示す。
【００３１】
医療情報処理装置１０が利用者に携帯される装置である場合、行動履歴記録部１３はＧＰＳ（Global Positioning System）機能等の測位機能を備えることで、利用者の位置を取得する。医療情報処理装置１０が家等に固定的に設置される装置である場合、行動履歴記録部１３は、利用者に携行されている位置センサ等から携帯電話網等を通じて利用者の位置を受信する。
【００３２】
薬効評価部１４は、行動履歴記録部１３によって取得された行動履歴及び位置属性記憶部１５に記憶されているデータから利用者の体調、薬品の効果を推定し、薬歴記憶部１２に効果点数２３を格納する。
【００３３】
図４は、位置属性記憶部１５に記憶されるデータの例を表形式で示す。位置属性記憶部１５は、ランドマーク番号４０、存在位置４２、体調評価指数４３を対応させて記憶する。ランドマーク番号４０はランドマークの通番を示す。存在位置４２は、対応するランドマークの緯度・経度等の位置を示す。
【００３４】
体調評価指数４３は、対応するランドマークにいる利用者の体調を示す指数の推定値である。体調評価指数４３は、ランドマークの性質に応じて割り振られる。例えば、利用者が病院や薬局に滞在している場合、利用者の体調は悪いと推定される。従って、病院や薬局というランドマークには、体調の悪さを示す値（例えば、負の値）が割り振られる。逆に遊園地やショッピングモールに滞在している場合、利用者の体調は比較的よいと推定される。従って、遊園地やショッピングモールというランドマークには、体調の良さを示す値（例えば、正の値）が割り振られる。体調評価指数４３は、例えば、−５〜＋５の値である。
【００３５】
位置属性記憶部１５は、ランドマーク番号４０に対応させてランドマーク名４１を記憶しても良い。ランドマーク名４１は、対応するランドマークの名称である。
【００３６】
位置属性記憶部１５に記憶される情報は、医療情報処理装置１０の管理者等が利用者の使用に先立ち、予め設定しておく。医療情報処理装置１０は、利用者が位置属性記憶部１５の情報を変更する為の位置属性変更部等を備えていても良い。
【００３７】
図５は、医療情報処理装置１０の全体的な動作を示す流れ図である。まず、薬検知部１１が、利用者の薬の使用を検知し、使用された薬品の薬品ＩＤを取得する（Ｓ１）。薬検知部１１は取得した薬品ＩＤを薬歴記憶部１２に送信し、薬歴記憶部１２は受け取った薬品ＩＤを日時とともに薬歴記憶部１２に格納する（Ｓ２）。
【００３８】
薬検知部１１が薬の使用を検知した後の一定時間内、行動履歴記録部１３は、利用者の行動履歴を取得する。（Ｓ３）。
【００３９】
一定時間が経過して行動履歴の記録が完了すると、行動履歴記録部１３は履歴情報を図３に示すような形式で、薬効評価部１４に出力する。一定時間中、行動履歴記録部１３は順次、測位インデックス３１に対応する行を薬効評価部１４に出力し、薬効評価部１４が履歴情報を図３に示すような形式で保持しても良い。
【００４０】
薬効評価部１４は、図３で示すような行動履歴を基に当該薬品の薬効を評価し評価点数ｓを算出する（Ｓ４）。
【００４１】
最後に薬効評価部１４は、Ｓ４で得られた評価点数ｓをＳ２で記録した使用薬品ＩＤ２１に関連付けて、薬歴記憶部１２の効果点数２３に記録する（Ｓ５）。
【００４２】
図６は、行動履歴記録部１３の動作を示す流れ図である。本図は、図５におけるＳ３の動作を詳細に示す。本図は、利用者の薬使用が検知され薬品ＩＤが取得された後、利用者の位置を、行動履歴記録部１３が一定周期（１５分毎等）で一定回数（９６回等）記録する例の流れ図を示す。
【００４３】
検知後、行動履歴記録部１３は、指定されたオフセット時間待機する（Ｓ３０）。即ち、行動履歴記録部１３は、オフセット時間が経過するまで履歴の取得は行わない。
【００４４】
オフセット時間が経過すると、行動履歴記録部１３は利用者の位置を取得して、履歴インデックス３０、測定インデックス３１、測定日時３２および測定位置３３を内部メモリ等に保存する（Ｓ３１）。履歴インデックス３０は、例えば、薬検知部１１から受信する。測定インデックス３１は、例えば、行動履歴記録部１３が履歴取得の通番を生成する。
【００４５】
次に、行動履歴記録部１３は、位置情報の記録回数が所定回数（９６回等）に達しているか確認する（Ｓ３２）。
【００４６】
記録回数が所定回数に達していない場合（Ｓ３２でＮＯ）、行動履歴記録部１３は、一周期時間（１５分等）待機（Ｓ３４）後に、再びＳ３１を実行する。所定回数に達していた場合（Ｓ３２でＹＥＳ）、行動履歴記録部１３は、内部メモリ等に格納していた行動履歴を図３のような形式で薬効評価部１４に出力して（Ｓ３３）、動作を終了する。
【００４７】
図７は、薬効評価部１４の動作を示す流れ図（１／２）である。本図は、図５におけるＳ４の動作を詳細に示す。
【００４８】
薬効評価部１４は、はじめに図３に示すような行動履歴から利用者の滞留点Ｘを検出する。薬効評価部１４は、変数ｉ及び変数ｓを０とした後（Ｓ４１）、変数ｉに１を加算する（Ｓ４２）。次に薬効評価部１４は、時系列上の連続する３点、例えば測位インデックス３１の値が変数ｉの値、変数ｉの値＋１、変数ｉの値＋２に対応する３行の各測定位置３３が半径ｒの円内にあるかどうかを確認する（Ｓ４３）。半径ｒの値は、医療情報処理装置１０の管理者等が設定したパラメータ値であり、例えば５００ｍである。
【００４９】
時系列上連続する３点の位置が半径ｒの円内になければ（Ｓ４３でＮＯ）、薬効評価部１４はＳ４６に進む。時系列上の連続する３点の位置が半径ｒの円内にあれば（Ｓ４３でＹＥＳ）、薬効評価部１４はこの３点の測定位置３３から滞留点Ｘの位置を算出する（Ｓ４４）。薬効評価部１４は、例えば、３点の緯度・経度をそれぞれ平均することで滞留点Ｘの位置を得る。
【００５０】
次に薬効評価部１４は、位置属性記憶部１５の存在位置４２を参照し、滞留点Ｘに対する体調評価指数４３を取得して変数ｓに加算する（Ｓ４５）。次に薬効評価部１４は、変数ｉの値を履歴取得の回数−２（例えば、９６−２＝９４）と比較し、変数ｉの値が小さければ（Ｓ４６でＹＥＳ）Ｓ４２に戻り、ｉの値が小さくなければ（Ｓ４６でＮＯ）動作を終了する。
【００５１】
薬効評価部１４は、３以外の個数の測定位置３３から滞留点Ｘの位置を算出しても良い。
【００５２】
図８は、薬効評価部１４の動作を示す流れ図（２／２）である。本図は、図７におけるＳ４５の動作を詳細に示す。
【００５３】
薬効評価部１４は、変数ｋを０とした後（Ｓ４５１）、変数ｋに１を加算する（Ｓ４５２）。次に、薬効評価部１４は、ランドマーク番号４０の値が変数ｋの値と一致する行の存在位置４２（図４）と滞留点Ｘの位置から２点間の距離ｄを算出する（Ｓ４５３）。
【００５４】
薬効評価部１４は、距離ｄの値を、あらかじめ与えられた値Ｒと比較する（Ｓ４５４）。値Ｒは、医療情報処理装置１０の管理者等が設定したパラメータ値であり、例えば２００ｍである。
【００５５】
距離ｄの値がＲと同じかＲより大きければ（Ｓ４５４でＮＯ）、薬効評価部１４は滞留点Ｘの周りにランドマークはないものと判断し、Ｓ４５６に進む。距離ｄの値が値Ｒより小さければ（Ｓ４５４でＹＥＳ）、薬効評価部１４は利用者が当該ランドマークに滞在していたものと判断し、ランドマーク番号４０の値が変数ｋの値と一致する行の体調評価指数４３（図４）の値を変数ｓに加算する（Ｓ４５５）。
【００５６】
薬効評価部１４は、位置属性記憶部１５に保持されたランドマークの数だけ、上記Ｓ４５２〜Ｓ４５５の処理繰り返した後（Ｓ４５６でＮＯ）、動作を終了する。
【００５７】
なお、各ランドマークが互いに充分離れている場合、薬効評価部１４はＳ４５５を一回実行したら、動作を終了しても良い。薬効評価部１４は、図５のＳ５において、効果点数２３だけでなく、Ｓ３で記録した行動履歴（図３）も合わせて使用薬品ＩＤ２１に関連付けて記録してもよい。後日、位置属性記憶部１５に記憶されている情報が更新された際、新たに薬効を評価し直すことが可能になる。
【００５８】
表示部１７は、利用者の操作等に基づいて、薬歴記憶部１２に記憶された使用薬品ＩＤ２１、効果点数２３等を表示する。薬歴記憶部１２に記憶された使用薬品ＩＤ２１、効果点数２３等は、通信回線を通じて他の装置に送信されても良い。
【００５９】
本実施の形態の医療情報処理装置１０は、利用者が治療目的で使用した薬品の効果を記録することが出来る。その理由は、薬効評価部１４が利用者の行動履歴の測定位置３３に基づいて、使用した薬品の効果点数２３を取得するからである。
【００６０】
＜第２の実施の形態＞
図９は、第２の実施形態の医療情報処理装置１０の構成を示す図である。本実施形態の医療情報処理装置１０は、第１の実施形態の医療情報処理装置１０の構成に加えて、薬品属性記憶部１６を包含する。薬品属性記憶部１６は、半導体メモリ、ディスク等の記憶装置である。
【００６１】
薬品属性記憶部１６は、対応する行動履歴の記録パラメータを保持する。図１０は、薬品属性記憶部１６が記憶するデータを表形式で示す図である。薬品属性記憶部１６は、薬品ＩＤ（登録薬品ＩＤ５０）対応に、登録オフセット時間５１、周期５２、回数５３を記憶する。登録オフセット時間５１は、上述した履歴を取得する一定時間のオフセット時間である。周期５２、回数５３は、履歴取得の周期と回数である。即ち、周期５２と回数５３の積が、履歴を取得する一定時間の時間長となる。
【００６２】
薬品属性記憶部１６に記憶される情報は、医療情報処理装置１０の管理者等が利用者の使用に先立ち、予め設定しておく。医療情報処理装置１０は、利用者が薬品属性記憶部１６の情報を変更する為の薬品属性変更部等を備えていても良い。
【００６３】
本実施の形態の行動履歴記録部１３は、行動履歴の取得に先立ち（図６のＳ３０の前）、薬検知部１１が取得した薬品ＩＤに一致する登録薬品ＩＤ５０を有する行を薬品属性記憶部１６から検索する。行動履歴記録部１３は、当該行から、登録オフセット時間５１、周期５２、回数５３の値を取得し、それらの値をパラメータとして行動履歴を取得する。
【００６４】
他の点については、本実施の形態の医療情報処理装置１０は第１の実施形態と同じである。
【００６５】
本実施の形態の医療情報処理装置１０は、薬品の効果を、精度を向上させて記録できる。その理由は、利用者が治療目的で使用した薬品の種類に応じた、適切な一定時間の行動履歴に基づいて効果点数２３を取得するからである。
【００６６】
使用後、薬が効果を発揮する迄の時間や、効果が持続する期間は、薬品の種類によって変わる。医療情報処理装置１０の管理者等は、例えば、登録オフセット時間５１を、遅効性の薬品については大きく、即効性の薬については小さく設定する等の調整が可能である。
【００６７】
＜第３の実施の形態＞
図１１は、第３の実施形態に係る医療情報処理システム７０の構成を示す。医療情報処理システム７０は、薬品属性提供サーバ６０と、当該サーバと通信ネットワーク７１で接続されている一台以上の医療情報処理装置１０を包含する。
【００６８】
本実施形態の医療情報処理装置１０は、第２の実施形態に於ける薬品属性記憶部１６の代わりに装置通信部１８ａを備える。薬品属性提供サーバ６０は、第２の実施形態で説明した薬品属性記憶部１６及びサーバ通信部１８ｂを包含する。
【００６９】
本実施の形態の医療情報処理装置１０の行動履歴記録部１３は、装置通信部１８ａ及びサーバ通信部１８ｂを経由して薬品ＩＤを薬品属性提供サーバ６０に送信し、薬品属性記憶部１６から、登録オフセット時間５１、周期５２、回数５３の値を取得する。
【００７０】
他の点については、本実施の形態の医療情報処理装置１０は第２の実施形態と同じである。
【００７１】
本実施の形態の医療情報処理装置１０は、薬品の効果を更に精度を向上させて記録できる。その理由は、薬品メーカ等が運営する薬品属性提供サーバ６０が、薬品メーカ等の専門知識に基づく適切な登録オフセット時間５１、周期５２、回数５３を医療情報処理装置１０に送信出来るからである。
【００７２】
＜第４の実施の形態＞
図１２は、第４の実施形態の医療情報処理装置１０の構成を示す図である。医療情報処理装置１０は、位置属性記憶部１５と、薬歴記憶部１２と、薬検知部１１と、行動履歴記録部１３と、薬効評価部１４、を包含する。位置属性記憶部１５は存在位置４２と体調評価指数４３を対応付けて記憶する。薬歴記憶部１２は、使用薬品ＩＤ２１と効果点数２３を対応付けて記憶する。薬検知部１１は、利用者が使用した薬の薬品ＩＤを入力する。行動履歴記録部１３は、薬検知部１１による薬品ＩＤ入力後の一定時間内の、利用者の位置を取得する。薬効評価部１４は、行動履歴記録部１３が取得した利用者の位置に対応する体調評価指数４３を位置属性記憶部１５から取得して、効果点数２３を算出し、薬検知部１１が入力した薬品ＩＤと対応付けて薬歴記憶部１２に格納する。
【００７３】
本実施の形態の医療情報処理装置１０は、利用者が治療目的で使用した薬品の効果を記録することが出来る。その理由は、薬効評価部１４が利用者の行動履歴の測定位置３３に基づいて、使用した薬品の効果点数２３を取得するからである。
【００７４】
以上、実施形態を参照して本願発明を説明したが、本願発明は上記実施形態に限定されるものではない。本願発明の構成や詳細には、本願発明のスコープ内で当業者が理解しうる様々な変更をすることができる。
【産業上の利用可能性】
【００７５】
本発明は、医療情報を管理する携帯型情報端末、およびその動作を制御するプログラム、医療情報を管理するシステム等に適用できる。本発明は、無線ＩＣカードとの通信機能を有する携帯型情報端末、およびその動作を制御するプログラム、ＩＣカードリーダー／ライターを含めたシステム等にも適用できる。
【符号の説明】
【００７６】
１１    薬検知部
１２    薬歴記憶部
１３    行動履歴記録部
１４    薬効評価部
１５    位置属性記憶部
１６    薬品属性記憶部
１７    表示部
１８ａ    装置通信部
１８ｂ    サーバ通信部
１９    医療情報処理プログラム
２０    使用インデックス
２１    使用薬品ＩＤ
２２    使用日時
２３    効果点数
３０    履歴インデックス
３１    測位インデックス
３２    測定日時
３３    測定位置
４０    ランドマーク番号
４１    ランドマーク名
４２    存在位置
４３    体調評価指数
５０    登録薬品ＩＤ
５１    登録オフセット時間
５２    周期
５３    回数
６０    薬品属性提供サーバ
７０    医療情報処理システム
７１    通信ネットワーク
【図１】
2011243140.tif 000003
【図２】
2011243140.tif 000004
【図３】
2011243140.tif 000005
【図４】
2011243140.tif 000006
【図５】
2011243140.tif 000007
【図６】
2011243140.tif 000008
【図７】
2011243140.tif 000009
【図８】
2011243140.tif 000010
【図９】
2011243140.tif 000011
【図１０】
2011243140.tif 000012
【図１１】
2011243140.tif 000013
【図１２】
2011243140.tif 000014